(57)【要約】【課題】ユーザが欲するコンテンツのお試し版をプッシュ配信し利便性を高めたい。【解決手段】端末111にコンテンツをプッシュ配信するプッシュ型コンテンツ配信サービスシステムに、インターネット300を介するメール配信部103と、インターネットを介して端末にコンテンツを閲覧させ所望のコンテンツを探索させるコンテンツ閲覧部104と、探索後、新規コンテンツの配信に同意するメールを送信した場合、端末のメールアドレス、閲覧で得たコンテンツの探索条件を設定し、要求に応じてコンテンツの完全版のダウンロードを行うコンテンツ探索条件設定／完全版提供部105と、コンテンツ閲覧部とコンテンツ探索条件設定／完全版提供部を運営し新規のコンテンツを登録し探索条件と一致する新規登録のコンテンツがある場合端末にお試し版を添付しメールを配信し期待通りの場合に完全版のダウンロードを要求するコンテンツ運営／お試し版提供部200とを備える。【選択図】図１２
2005242399.tif 000002
【特許請求の範囲】
【請求項１】
端末にコンテンツをプッシュ配信するプッシュ型コンテンツ配信サービスシステムにおいて、
インターネットを介してメールの配信を行うメール配信部と、
インターネットを介して前記端末にコンテンツを閲覧させ、所望のコンテンツを探索させるコンテンツ閲覧部と、
前記コンテンツ閲覧部内に設けられ、前記コンテンツ閲覧部の探索後、新規のコンテンツを配信することに同意して前記端末から前記メール配信部を介してメールを送信した場合、前記端末のメールアドレス、前記コンテンツ閲覧部で得られた所望のコンテンツの探索条件が設定され、要求に応じて所望のコンテンツの完全版のダウンロードを行うコンテンツ探索条件設定／完全版提供部と、
前記コンテンツ閲覧部と共に前記コンテンツ探索条件設定／完全版提供部を内部に設け運営し、新規のコンテンツを新着情報と共に登録蓄積し、前記コンテンツ探索条件設定／完全版提供部に設定されている探索条件と一致する新規登録のコンテンツがある場合には、前記コンテンツ探索条件設定／完全版提供部に設定されているメールアドレスを有する端末に、前記メール配信部を介して、新着情報と共にコンテンツのお試し版を添付したメールを配信し、お試し版のコンテンツが期待通りである場合には前記コンテンツ探索条件設定／完全版提供部に完全版のコンテンツのダウンロードを要求することを可能にするコンテンツ運営／お試し版提供部とを備えることを特徴とするプッシュ型コンテンツ配信サービスシステム。
【請求項２】
携帯電話機に着信メロディのコンテンツをプッシュ配信するプッシュ型コンテンツ配信サービスシステムにおいて、
前記携帯電話機の無線網とインターネットに接続され、メールの配信を行うメール配信部と、
前記携帯電話機の無線網に接続され、携帯無線機に着信メロディのコンテンツを閲覧させ、所望の着信メロディのコンテンツをジャンル、アーチストに基づいて探索させるコンテンツ閲覧部と、
前記コンテンツ閲覧部内に設けられ、前記コンテンツ閲覧部の探索後、新規の着信メロディのコンテンツを配信することに同意して前記携帯電話機から前記メール配信部を介してメールを送信した場合、前記携帯電話機のメールアドレス、前記コンテンツ閲覧部で得られた所望の着信メロディのコンテンツの探索条件が設定され、要求に応じて所望の着信メロディのコンテンツの完全版のダウンロードを行うコンテンツ探索条件設定／完全版提供部と、
インターネットを介して接続される前記コンテンツ閲覧部、前記コンテンツ探索条件設定／完全提供部を運営し、新規の着信メロディのコンテンツを新着情報と共に登録蓄積し、前記コンテンツ探索条件設定／完全版提供部に設定されている探索条件と一致する新規登録の着信メロディのコンテンツがある場合には、前記コンテンツ探索条件設定／完全版提供部に設定されているメールアドレスを有する携帯電話機に、前記メール配信部を介して、新着情報と共に着信メロディのコンテンツのお試し版を添付したメールを配信し、お試し版の着信メロディのコンテンツが期待通りである場合には前記コンテンツ探索条件設定／完全版提供部に完全版の着信メロディのコンテンツのダウンロードを要求することを可能にするコンテンツ運営／お試し版提供部とを備えることを特徴とするプッシュ型コンテンツ配信サービスシステム。
【請求項３】
前記着信メロディのコンテンツのお試し版は着信メロディのサビ部分であることを特徴とする、請求項１に記載のプッシュ型コンテンツ配信サービスシステム。
【請求項４】
携帯電話機に画像のコンテンツをプッシュ配信するプッシュ型コンテンツ配信サービスシステムにおいて、
前記携帯電話機の無線網とインターネットに接続され、メールの配信を行うメール配信部と、
前記携帯電話機の無線網に接続され、携帯無線機に画像のコンテンツを閲覧させ、所望の画像のコンテンツをジャンルに基づいて探索させるコンテンツ閲覧部と、
前記コンテンツ閲覧部内に設けられ、前記コンテンツ閲覧部の探索後、新規の画像のコンテンツを配信することに同意して前記携帯電話機から前記メール配信部を介してメールを送信した場合、前記携帯電話機のメールアドレス、前記コンテンツ閲覧部で得られた所望の画像メロディのコンテンツの探索条件が設定され、要求に応じて所望の画像のコンテンツの完全版のダウンロードを行うコンテンツ探索条件設定／完全提供部と、
前記インターネットを介して接続される前記コンテンツ閲覧部、前記コンテンツ探索条件設定／完全提供部を運営し、新規の画像のコンテンツを新着情報と共に登録蓄積し、前記コンテンツ探索条件設定／完全版提供部に設定されている探索条件と一致する新規登録の画像のコンテンツがある場合には、前記コンテンツ探索条件設定／完全版提供部に設定されているメールアドレスを有する携帯電話機に、前記メール配信部を介して、新着情報と共に画像のコンテンツのお試し版を添付したメールを配信し、お試し版の画像のコンテンツが期待通りである場合には前記コンテンツ探索条件設定／完全版提供部に完全版の画像のコンテンツのダウンロードを要求することを可能にするコンテンツ運営／お試し版提供部とを備えることを特徴とするプッシュ型コンテンツ配信サービスシステム。
【請求項５】
前記画像のコンテンツのお試し版は、完全版の画像と比較して表示面積を落とした画像又は画質を落とした画像であることを特徴とする、請求項４に記載のプッシュ型コンテンツ配信サービスシステム。
【請求項６】
携帯電話機に動画、ゲームのコンテンツをプッシュ配信するプッシュ型コンテンツ配信サービスシステムにおいて、
前記携帯電話機の無線網とインターネットに接続され、メールの配信を行うメール配信部と、
前記携帯電話機の無線網に接続され、携帯無線機に動画、ゲームのコンテンツを閲覧させ、所望の動画、ゲームのコンテンツをジャンルに基づいて探索させるコンテンツ閲覧部と、
前記コンテンツ閲覧部内に設けられ、前記コンテンツ閲覧部の探索後、新規の動画、ゲームのコンテンツを配信することに同意して前記携帯電話機から前記メール配信部を介してメールを送信した場合、前記携帯電話機のメールアドレス、前記コンテンツ閲覧部で得られた所望の動画、ゲームのコンテンツの探索条件が設定され、要求に応じて所望の動画、ゲームのコンテンツの完全版のダウンロードを行うコンテンツ探索条件設定／完全提供部と、
インターネットを介して接続される前記コンテンツ閲覧部、前記コンテンツ探索条件設定／完全提供部を運営し、新規の動画、ゲームのコンテンツを新着情報と共に登録蓄積し、前記コンテンツ探索条件設定／完全版提供部に設定されている探索条件と一致する新規登録の動画、ゲームのコンテンツがある場合には、前記コンテンツ探索条件設定／完全版提供部に設定されているメールアドレスを有する携帯電話機に、前記メール配信部を介して、新着情報と共に動画、ゲームのコンテンツのお試し版を添付したメールを配信し、お試し版の動画、ゲームのコンテンツが期待通りである場合には前記コンテンツ探索条件設定／完全版提供部に完全版の動画、ゲームのコンテンツのダウンロードを要求することを可能にするコンテンツ運営／お試し版提供部とを備えることを特徴とするプッシュ型コンテンツ配信サービスシステム。
【請求項７】
前記動画が劇場映画である場合、前記動画のコンテンツのお試し版は劇場映画のコマーシャル版であり、前記ゲームのお試し版は体験版であることを特徴とする、請求項６に記載のプッシュ型コンテンツ配信サービスシステム。
【請求項８】
前記コンテンツ運営／お試し版提供部は動画、ゲームのコンテンツのお試し版を再生するＤＶ再生ソフト、ゲームのエンジン部分を前記お試し版の一部としてメールに添付し、前記コンテンツ探索条件設定／完全提供部は、ダウンロードした動画、ゲームのコンテンツの完全版を前記ＤＶ再生ソフト、ゲームのエンジン部分により再生し、前記コンテンツ探索条件設定／完全提供部で完全版のダウンロードを行わない場合には、前記ＤＶ再生ソフト、ゲームのエンジン部分を一定時間経過後に使用できないようにすることを特徴とする、請求項６に記載のプッシュ型コンテンツ配信サービスシステム。
【請求項９】
前記コンテンツ閲覧部は複数のジャンル、複数のアーチストについてコンテンツを探索することを特徴とする、請求項２、４、６のいずれか１つの請求項に記載のプッシュ型コンテンツ配信サービスシステム。
【請求項１０】
前記コンテンツ運営／お試し版提供部は、コンテンツのダウンロード実績から同様の趣向を持ったユーザのコンテンツの傾向を分析し、分析結果に基づきコンテンツお試し版の推薦をメールに添付して送信することを特徴とする、請求項１、２、４、６のいずれか１つの請求項に記載のプッシュ型コンテンツ配信サービスシステム。
【請求項１１】
前記コンテンツ運営／お試し版提供部は、前記コンテンツ閲覧部、前記コンテンツ探索条件設定／完全提供部に、前記携帯電話機の無線網を介して、接続されることを特徴とする、請求項２、４、６のいずれか１つの請求項に記載のプッシュ型コンテンツ配信サービスシステム。
【請求項１２】
前記コンテンツにＪＡＶＡ（登録商標）アプリケーションのコンテンツを含むことを特徴とする、請求項１、２、４、６のいずれか１つの請求項に記載のプッシュ型コンテンツ配信サービスシステム。
【請求項１３】
端末にコンテンツをプッシュ配信するプッシュ型コンテンツ配信サービス方法において、
インターネットを介して前記端末にコンテンツを閲覧させ、所望のコンテンツを探索させる工程と、
所望のコンテンツの探索後、新規のコンテンツを配信することに同意して前記端末からメールを送信した場合、前記端末のメールアドレス、探索で得られた所望のコンテンツの探索条件を設定する工程と、
新規のコンテンツを新着情報と共に登録蓄積し、設定されている前記探索条件と一致する新規登録のコンテンツがある場合には、設定されている前記メールアドレスを有する端末に、新着情報と共にコンテンツのお試し版を添付したメールを配信する工程と、
配信されたメールに添付されているお試し版のコンテンツが期待通りである場合には要求により完全版のコンテンツをダウンロードさせる工程とを備えることを特徴とするプッシュ型コンテンツ配信サービス方法。
【請求項１４】
端末にコンテンツをプッシュ配信するプッシュ型コンテンツ配信サービスサーバにおいて、
インターネットを介して前記端末にコンテンツを閲覧させ、所望のコンテンツを探索させるコンテンツ閲覧部と、
前記コンテンツ閲覧部内に設けられ、前記コンテンツ閲覧部の探索後、新規のコンテンツを配信することに同意して前記端末からメールを送信した場合、前記端末のメールアドレス、前記コンテンツ閲覧部で得られた所望のコンテンツの探索条件が設定され、要求に応じて所望のコンテンツの完全版のダウンロードを行うコンテンツ探索条件設定／完全版提供部と、
前記コンテンツ閲覧部と共に前記コンテンツ探索条件設定／完全版提供部を内部に設け運営し、新規のコンテンツを新着情報と共に登録蓄積し、前記コンテンツ探索条件設定／完全版提供部に設定されている探索条件と一致する新規登録のコンテンツがある場合には、前記コンテンツ探索条件設定／完全版提供部に設定されているメールアドレスを有する端末に新着情報と共にコンテンツのお試し版を添付したメールを配信し、お試し版のコンテンツが期待通りである場合には前記コンテンツ探索条件設定／完全版提供部に完全版のコンテンツのダウンロードを要求することを可能にするコンテンツ運営／お試し版提供部とを備えることを特徴とするプッシュ型コンテンツ配信サービスサーバ。
【発明の詳細な説明】
【技術分野】
【０００１】
本発明はサーバからユーザに新しいコンテンツを配信するプッシュ型コンテンツ配信サービスシステムに関する。特に、本発明は、配信するコンテンツが所望のコンテンツであることをユーザに確認させた後にダウンロードさせるプッシュ型コンテンツ配信サービスシステム、方法及びサーバに関する。
【背景技術】
【０００２】
昨今、携帯電話機の着信音はメロディを設定しているユーザが殆どである。ユーザは趣味、趣向に合わせ、携帯電話機にデフォルトで内蔵しているメロディ（楽曲）に飽くことなく、コンテンツプロバイダのサイトからメロディのコンテンツをダウンロードし、使用するケースが特に増加している。
ユーザが着信メロディのコンテンツを所望する場合、メロディのコンテンツをコンテンツ提供サイトから、以下のように、そのジャンル、歌手名、メロディ名等をキーワードで選曲し、ダウンロードにて獲得していた。
【０００３】
図１３は携帯電話機においてメロディのコンテンツを獲得する時の従来の操作手順を説明するフローチャートであり、図１４はコンテンツ閲覧用サーバからメロディのジャンル、アーチスト名からメロディの探索を行うための画面を示す図である。
本図１３に示すように、ステップＳ４０１において、ユーザの携帯電話機をコンテンツ閲覧用サーバに接続する。
【０００４】
ステップＳ４０２において、携帯電話機のブラウザ機能により、図１４に示すように、メロディのジャンル、アーチスト名より探索し、絞り込み所望のメロディであるコンテンツをたどり、コンテンツ提供サイトからダウンロードを行う。このダウンロードされたコンテンツは課金対象となる。
ステップＳ４０３において、ダウンロードが完了すると、メロディが再生（演奏）される。ここで、初めてどんな音色で再生されるかをユーザは確認することが可能になる。
【０００５】
ステップＳ４０４において、再生されたメロディであるコンテンツが期待通りで有効であったか否かを判断する。
ステップＳ４０５において、コンテンツが有効であるユーザが判断した場合にはメロディを携帯電話機に保存し、処理を終了する。
ステップＳ４０６において、期待に添わない音色である場合には、すなわち、コンテンツが有効でないとユーザが判断した場合には手間をかけてダウンロードしたコンテンツではあるが破棄され、処理が終了する。
【０００６】
メロディのコンテンツは実際にはアレンジが行われているため、ユーザが所望するメロディであっても、オリジナルのものと異なり、ユーザのメロディのイメージに合わず、獲得はしても保存／使用に至らず破棄してしまい、費用が無駄になり、利便性に欠ける場合があった。
そこで、利便性を確保するため、以下の従来技術のように、ユーザにお試し版をダウンロードさせ、事前に完全版をダウンロードさせるべきか否かの判断をさせるものがある。
【０００７】
従来技術として、希望する情報をダウンロードする前に、ダウンロード間違いを回避できるようにするため、情報配信サーバは、配信要求された情報の一部分を、配信要求された情報の全部を配信する前に要求元の配信情報受信端末に送信し、配信情報受信端末は、その一部分の情報を用いて、ユーザにその情報内容を報知し、その情報内容の報知に応じた、ユーザによる情報配信の実行、非実行の指示を、情報配信サーバに送り、情報配信サーバは、その実行、非実行の指示に応じて、実行指示であれば、ダウンロードを実行し、非実行の指示であれば、ダウンロードを中止するものがある（例えば、特許文献１参照）。
【０００８】
また、従来技術として、カラオケを歌う人からの登録要求をオンラインで受け付けることができ、サンプルデータをダウンロードすることができるカラオケ装置の配信センタを提供するため、通信カラオケ装置に対して楽曲データを配信する配信センタが、カラオケ装置の一般利用者が家庭で操作する利用者端末装置からのアクセスを受け付けることができるようにし、利用者端末装置はパーソナルコンピュータで構成しても専用装置で構成してもよく、利用者はこの利用者端末装置を操作して、配信センタをアクセスし、所望の曲の楽曲データが既に登録（配信）されているか否かを調べることができ、登録されていない場合には、オンラインでこれをリクエストすることができ、この曲が登録されたときは、配信センタから利用者端末装置に対してこの曲のサンプルデータがダウンロードされ、利用者はこれを試聴することができるものがある（例えば、特許文献２参照）。
【０００９】
しかしながら、上記の従来技術では、特許文献１の情報配信サーバ、特許文献２の配信センタではアクセスしたユーザに対してお試し情報を送信するものであるが、アクセスしなくてもユーザが欲する情報のお試し版を提供することができるようにし利便性を高めたいという課題がある。
さらに、画像の情報についても、以下の従来技術のように、ユーザにダウンロードさせるものがある。
【００１０】
従来技術として、商品の情報を提供するにあたり、ユーザにおいて情報が欲しい商品を比較的簡単に特定できるようにするため、ネットワーク上で商品情報を提供するにあたり、ネットワークを介して商品の検索条件をサーバで受信し、商品の画像を含む商品情報を蓄積したデータベースからサーバ上で商品検索を行って、検索結果をクライアント端末に返送し、データベースには、商品の画像が格納されており、検索条件に商品の画像が添付されていた場合、画像を検索キーとして商品検索ができるものがある（例えば、特許文献３参照）。
【００１１】
しかしながら、上記の従来技術では、画像が高画質の場合には、商品検索を行うのに費用がかかり過ぎるという問題がある。さらに、サーバにアクセスしなくてもユーザが欲する画像情報についてお試し版を提供することができるようにし利便性を高めたいという課題がある。
さらに、動画の情報についても、以下の従来技術のように、ユーザにお試し版をダウンロードさせるものがある。
【００１２】
従来技術として、利用者が、コンテンツの配信を受ける前に予めコンテンツの内容を確認することのできるコンテンツ配信システムを提供するため、通信ネットワークを介して、利用者のユーザ端末に動画コンテンツを配信するコンテンツ配信システムにおいて、ユーザ端末と接続し動画コンテンツを配信する配信サーバを備え、配信サーバは、配信する正規の動画コンテンツである正規コンテンツから当該正規コンテンツの内容を確認するためのコンテンツである確認用コンテンツを自動生成する確認用コンテンツ生成部を備え、確認用コンテンツ生成部は、正規コンテンツを予め定められた種類のコンテンツに変換することにより当該正規コンテンツの確認用コンテンツを生成し、確認用コンテンツ生成部が生成した確認用コンテンツをユーザ端末に対し配信するものがある（例えば、特許文献４参照）。
【００１３】
また、従来技術として、放送番組のコンテンツを販売者が購入者に販売するとき、販売者がコンテンツのカタログとビデオテープに記録したコンテンツの見本を購入者に提供し、購入者はそのビデオテープを見て購入を決めるためコンテンツの売買に多大な費用がかかっていたので、これを回避するため、販売者はコンテンツデータベースに通信回線を経由してコンテンツを表示するコンテンツデータを納入し、コンテンツサーバにコンテンツそのものとその見本であるコンテンツサンプルを用意し、購入者は通信回線を介してコンテンツデータベースにアクセスして、コンテンツデータを取り込み、購入者はコンテンツデータを参照して購入を検討するコンテンツのコンテンツサンプルを、通信回線を介して、ダウンロードすることができ、このコンテンツサンプルを見て購入が決まったコンテンツを、通信回線を経て、ダウンロードするものがある（例えば、特許文献５参照）。
【００１４】
しかしながら、上記の従来技術では、特許文献４の配信サーバ、特許文献５の販売者ではアクセスしたユーザに対して動画情報のお試し版を送信するものであるが、アクセスしなくてもユーザに対してユーザが欲する動画情報のお試し版を提供することができるようにし利便性を高めたいという課題がある。
【００１５】
【特許文献１】特開２００１−３３１１８２号公報
【特許文献２】特開平１０−１３３６７１号公報
【特許文献３】特開２００３−０３０１９８号公報
【特許文献４】特開２００３−０６９９５７号公報
【特許文献５】特開２００２−３５４４５４号公報
【発明の開示】
【発明が解決しようとする課題】
【００１６】
したがって、本発明は上記問題点に鑑みて、ユーザが欲する種々の情報のお試し版を提供し、ユーザに所望の情報をダウンロードさせるプッシュ型コンテンツ配信サービスシステム、方法及びサーバを提供することを目的とする。
【課題を解決するための手段】
【００１７】
本発明は前記問題点を解決するために、端末にコンテンツをプッシュ配信するプッシュ型コンテンツ配信サービスシステムにおいて、インターネットを介してメールの配信を行うメール配信部と、インターネットを介して前記端末にコンテンツを閲覧させ、所望のコンテンツを探索させるコンテンツ閲覧部と、前記コンテンツ閲覧部内に設けられ、前記コンテンツ閲覧部の探索後、新規のコンテンツを配信することに同意して前記端末から前記メール配信部を介してメールを送信した場合、前記端末のメールアドレス、前記コンテンツ閲覧部で得られた所望のコンテンツの探索条件が設定され、要求に応じて所望のコンテンツの完全版のダウンロードを行うコンテンツ探索条件設定／完全版提供部と、前記コンテンツ閲覧部と共に前記コンテンツ探索条件設定／完全版提供部を内部に設け運営し、新規のコンテンツを新着情報と共に登録蓄積し、前記コンテンツ探索条件設定／完全版提供部に設定されている探索条件と一致する新規登録のコンテンツがある場合には、前記コンテンツ探索条件設定／完全版提供部に設定されているメールアドレスを有する端末に、前記メール配信部を介して、新着情報と共にコンテンツのお試し版を添付したメールを配信し、お試し版のコンテンツが期待通りである場合には前記コンテンツ探索条件設定／完全版提供部に完全版のコンテンツのダウンロードを要求することを可能にするコンテンツ運営／お試し版提供部とを備えることを特徴とするプッシュ型コンテンツ配信サービスシステムを提供する。
【００１８】
さらに、本発明は、携帯電話機に着信メロディのコンテンツをプッシュ配信するプッシュ型コンテンツ配信サービスシステムにおいて、前記携帯電話機の無線網とインターネットに接続され、メールの配信を行うメール配信部と、前記携帯電話機の無線網に接続され、携帯無線機に着信メロディのコンテンツを閲覧させ、所望の着信メロディのコンテンツをジャンル、アーチストに基づいて探索させるコンテンツ閲覧部と、前記コンテンツ閲覧部内に設けられ、前記コンテンツ閲覧部の探索後、新規の着信メロディのコンテンツを配信することに同意して前記携帯電話機から前記メール配信部を介してメールを送信した場合、前記携帯電話機のメールアドレス、前記コンテンツ閲覧部で得られた所望の着信メロディのコンテンツの探索条件が設定され、要求に応じて所望の着信メロディのコンテンツの完全版のダウンロードを行うコンテンツ探索条件設定／完全版提供部と、インターネットを介して接続される前記コンテンツ閲覧部、前記コンテンツ探索条件設定／完全提供部を運営し、新規の着信メロディのコンテンツを新着情報と共に登録蓄積し、前記コンテンツ探索条件設定／完全版提供部に設定されている探索条件と一致する新規登録の着信メロディのコンテンツがある場合には、前記コンテンツ探索条件設定／完全版提供部に設定されているメールアドレスを有する携帯電話機に、前記メール配信部を介して、新着情報と共に着信メロディのコンテンツのお試し版を添付したメールを配信し、お試し版の着信メロディのコンテンツが期待通りである場合には前記コンテンツ探索条件設定／完全版提供部に完全版の着信メロディのコンテンツのダウンロードを要求することを可能にするコンテンツ運営／お試し版提供部とを備えることを特徴とするプッシュ型コンテンツ配信サービスシステムを提供する。
【００１９】
好ましくは、前記着信メロディのコンテンツのお試し版は着信メロディのサビ部分である。
さらに、本発明は、携帯電話機に画像のコンテンツをプッシュ配信するプッシュ型コンテンツ配信サービスシステムにおいて、前記携帯電話機の無線網とインターネットに接続され、メールの配信を行うメール配信部と、前記携帯電話機の無線網に接続され、携帯無線機に画像のコンテンツを閲覧させ、所望の画像のコンテンツをジャンルに基づいて探索させるコンテンツ閲覧部と、前記コンテンツ閲覧部内に設けられ、前記コンテンツ閲覧部の探索後、新規の画像のコンテンツを配信することに同意して前記携帯電話機から前記メール配信部を介してメールを送信した場合、前記携帯電話機のメールアドレス、前記コンテンツ閲覧部で得られた所望の画像メロディのコンテンツの探索条件が設定され、要求に応じて所望の画像のコンテンツの完全版のダウンロードを行うコンテンツ探索条件設定／完全提供部と、前記インターネットを介して接続される前記コンテンツ閲覧部、前記コンテンツ探索条件設定／完全提供部を運営し、新規の画像のコンテンツを新着情報と共に登録蓄積し、前記コンテンツ探索条件設定／完全版提供部に設定されている探索条件と一致する新規登録の画像のコンテンツがある場合には、前記コンテンツ探索条件設定／完全版提供部に設定されているメールアドレスを有する携帯電話機に、前記メール配信部を介して、新着情報と共に画像のコンテンツのお試し版を添付したメールを配信し、お試し版の画像のコンテンツが期待通りである場合には前記コンテンツ探索条件設定／完全版提供部に完全版の画像のコンテンツのダウンロードを要求することを可能にするコンテンツ運営／お試し版提供部とを備えることを特徴とするプッシュ型コンテンツ配信サービスシステムを提供する。
【００２０】
好ましくは、前記画像のコンテンツのお試し版は、完全版の画像と比較して表示面積を落とした画像又は画質を落とした画像であることを特徴とする、請求項４に記載のプッシュ型コンテンツ配信サービスシステム。
さらに、本発明は、携帯電話機に動画、ゲームのコンテンツをプッシュ配信するプッシュ型コンテンツ配信サービスシステムにおいて、前記携帯電話機の無線網とインターネットに接続され、メールの配信を行うメール配信部と、前記携帯電話機の無線網に接続され、携帯無線機に動画、ゲームのコンテンツを閲覧させ、所望の動画、ゲームのコンテンツをジャンルに基づいて探索させるコンテンツ閲覧部と、前記コンテンツ閲覧部内に設けられ、前記コンテンツ閲覧部の探索後、新規の動画、ゲームのコンテンツを配信することに同意して前記携帯電話機から前記メール配信部を介してメールを送信した場合、前記携帯電話機のメールアドレス、前記コンテンツ閲覧部で得られた所望の動画、ゲームのコンテンツの探索条件が設定され、要求に応じて所望の動画、ゲームのコンテンツの完全版のダウンロードを行うコンテンツ探索条件設定／完全提供部と、インターネットを介して接続される前記コンテンツ閲覧部、前記コンテンツ探索条件設定／完全提供部を運営し、新規の動画、ゲームのコンテンツを新着情報と共に登録蓄積し、前記コンテンツ探索条件設定／完全版提供部に設定されている探索条件と一致する新規登録の動画、ゲームのコンテンツがある場合には、前記コンテンツ探索条件設定／完全版提供部に設定されているメールアドレスを有する携帯電話機に、前記メール配信部を介して、新着情報と共に動画、ゲームのコンテンツのお試し版を添付したメールを配信し、お試し版の動画、ゲームのコンテンツが期待通りである場合には前記コンテンツ探索条件設定／完全版提供部に完全版の動画、ゲームのコンテンツのダウンロードを要求することを可能にするコンテンツ運営／お試し版提供部とを備えることを特徴とするプッシュ型コンテンツ配信サービスシステムを提供する。
【００２１】
好ましくは、前記動画が劇場映画である場合、前記動画のコンテンツのお試し版は劇場映画のコマーシャル版であり、前記ゲームのお試し版は体験版である。
好ましくは、前記コンテンツ運営／お試し版提供部は動画、ゲームのコンテンツのお試し版を再生するＤＶ再生ソフト、ゲームのエンジン部分を前記お試し版の一部としてメールに添付し、前記コンテンツ探索条件設定／完全提供部は、ダウンロードした動画、ゲームのコンテンツの完全版を前記ＤＶ再生ソフト、ゲームのエンジン部分により再生し、前記コンテンツ探索条件設定／完全提供部で完全版のダウンロードを行わない場合には、前記ＤＶ再生ソフト、ゲームのエンジン部分を一定時間経過後に使用できないようにする。
【００２２】
さらに、前記コンテンツ閲覧部は複数のジャンル、複数のアーチストについてコンテンツを探索する。
さらに、前記コンテンツ運営／お試し版提供部は、コンテンツのダウンロード実績から同様の趣向を持ったユーザのコンテンツの傾向を分析し、分析結果に基づきコンテンツお試し版の推薦をメールに添付して送信する。
【００２３】
好ましくは、前記コンテンツ運営／お試し版提供部は、前記コンテンツ閲覧部、前記コンテンツ探索条件設定／完全提供部に、前記携帯電話機の無線網を介して、接続される。
好ましくは、前記コンテンツにＪＡＶＡ（登録商標）アプリケーションのコンテンツを含む。
さらに、本発明は、端末にコンテンツをプッシュ配信するプッシュ型コンテンツ配信サービス方法において、インターネットを介して前記端末にコンテンツを閲覧させ、所望のコンテンツを探索させる工程と、所望のコンテンツの探索後、新規のコンテンツを配信することに同意して前記端末からメールを送信した場合、前記端末のメールアドレス、探索で得られた所望のコンテンツの探索条件を設定する工程と、新規のコンテンツを新着情報と共に登録蓄積し、設定されている前記探索条件と一致する新規登録のコンテンツがある場合には、設定されている前記メールアドレスを有する端末に、新着情報と共にコンテンツのお試し版を添付したメールを配信する工程と、配信されたメールに添付されているお試し版のコンテンツが期待通りである場合には要求により完全版のコンテンツをダウンロードさせる工程とを備えることを特徴とするプッシュ型コンテンツ配信サービス方法を提供する。
【００２４】
さらに、本発明は、端末にコンテンツをプッシュ配信するプッシュ型コンテンツ配信サービスサーバにおいて、インターネットを介して前記端末にコンテンツを閲覧させ、所望のコンテンツを探索させるコンテンツ閲覧部と、前記コンテンツ閲覧部内に設けられ、前記コンテンツ閲覧部の探索後、新規のコンテンツを配信することに同意して前記端末からメールを送信した場合、前記端末のメールアドレス、前記コンテンツ閲覧部で得られた所望のコンテンツの探索条件が設定され、要求に応じて所望のコンテンツの完全版のダウンロードを行うコンテンツ探索条件設定／完全版提供部と、前記コンテンツ閲覧部と共に前記コンテンツ探索条件設定／完全版提供部を内部に設け運営し、新規のコンテンツを新着情報と共に登録蓄積し、前記コンテンツ探索条件設定／完全版提供部に設定されている探索条件と一致する新規登録のコンテンツがある場合には、前記コンテンツ探索条件設定／完全版提供部に設定されているメールアドレスを有する端末に新着情報と共にコンテンツのお試し版を添付したメールを配信し、お試し版のコンテンツが期待通りである場合には前記コンテンツ探索条件設定／完全版提供部に完全版のコンテンツのダウンロードを要求することを可能にするコンテンツ運営／お試し版提供部とを備えることを特徴とするプッシュ型コンテンツ配信サービスサーバを提供する。
【発明の効果】
【００２５】
以上説明したように、本発明によれば、所望のコンテンツの探索条件を設定しておき、探索条件が一致する新規にコンテンツが登録された場合、メールによるプッシュ配信にて、新着情報とともに、コンテンツの一部をお試し版として配信することで、ユーザは完全版のダウンロードの行為なしに、コンテンツのイメージを確認でき、必要と思うコンテンツのみ、完全版としてダウンロードすることで、ダウンロードした完全版を従来のように破棄することなく、所望のコンテンツを得ることができるので、利便性を高めることができる。
【発明を実施するための最良の形態】
【００２６】
以下、本発明を実施するための最良の形態について図面を参照して説明する。
図１は本発明に係るプッシュ型コンテンツ配信サービスシステムの概略構成を示すネットワーク図である。
本図に示すように、プッシュ型コンテンツ配信サービスシステムにはオペレータサーバ群１０２が設けられ、オペレータサーバ群１０２にはメール配信用サーバ１０３とコンテンツ閲覧用サーバ１０４が設けられ、さらに、コンテンツ閲覧用サーバ１０４には内部にコンテンツ探索条件設定／完全版提供用サイト１０５が設けられる。
【００２７】
さらに、オペレータサーバ群１０２には携帯電話機１０１のネットワークであるオペレータ無線網１００を介して携帯電話機１０１が接続され、さらに、インターネット３００を介してコンテンツ運営／お試し版提供用サーバ２００が接続される。
コンテンツ運営／お試し版提供用サーバ２００は、メール配信機能を有しており、新規の着信メロディのコンテンツを新着情報とともに登録蓄積し、コンテンツプロバイダによりインターネット３００を介してコンテンツ閲覧用サーバ１０４に対して閲覧情報の更新、コンテンツ探索条件設定／完全版提供用サイト１０５に対してコンテンツ提供を含む運営を行う。
【００２８】
コンテンツ閲覧用サーバ１０４は、コンテンツ運営／お試し版提供用サーバ２００の運営を基に、携帯電話機１０１に対して、着信メロディ（楽曲）のコンテンツ情報として、例えば、標準的なメロディ、新作のメロディ、新しい編曲のメロディを含む種々の着信メロディのコンテンツ情報を画面に表示し閲覧させる。
コンテンツ探索条件設定／完全版提供用サイト１０５は携帯電話機１０１からコンテンツ閲覧用サーバ１０４への閲覧によりユーザに所望の着信メロディのコンテンツを探索させ、探索後に新規の着信メロディのコンテンツのお試し版の配信に同意するメール送信がある場合には探索条件を携帯電話機１０１のメールアドレスと共に事前に設定しておく。
【００２９】
コンテンツ運営／お試し版提供用サーバ２００は、コンテンツ探索条件設定／完全版提供用サイト１０５に設定されている所望の着信メロディのコンテンツに関する探索条件が一致する新規登録の着信メロディのコンテンツがある場合には、メール配信用サーバ１０３を介して携帯電話機１０１に対して、コンテンツ探索条件設定／完全版提供用サイト１０５に設定されている携帯電話機１０１のメールアドレスに基づいて新着情報とともに着信メロディのコンテンツのお試し版を添付したメールを配信する。
【００３０】
お試し版の着信メロディはファイルサイズを押さえるため、着信メロディの一部として、着信メロディのサビ（ｃｈｏｒｕｓ、ｒｅｆｒａｉｎ）部分を配信対象とする。
コンテンツ探索条件設定／完全版提供用サイト１０５は携帯電話機１０１から着信メロディのコンテンツのダウンロード要求がある場合には携帯電話機１０１に対して着信メロディのコンテンツの完全版をダウンロードで提供する。
【００３１】
なお、携帯電話機１０１は、ファイルを表示するブラウザ機能、メール送受信機能、着信メロディのコンテンツの再生機能を有している。
すなわち、携帯電話機１０１は、コンテンツ閲覧用サーバ１０４に接続しブラウザ機能を使用してコンテンツ閲覧用サーバ１０４を閲覧することができ、さらに、コンテンツ運営／お試し版提供用サーバ２００からのメールの受信、本文の確認を行うことができ、メールに添付された着信メロディのコンテンツのお試し版を再生することができ、さらに、コンテンツ探索条件設定／完全版提供用サイト１０５からダウンロードした着信メロディのコンテンツの完全版を再生することができる。
【００３２】
次に、本発明が提案する着信メロディのコンテンツ提供の具体例を、コンテンツ閲覧用サーバ１０４が提供する閲覧用の画面遷移を用いて、説明する。
図２は所望の着信メロディのコンテンツを探索する条件を設定するための入口の画面表示例を示す図である。
本図に示すように、着信メロディのコンテンツを提供するための画面遷移の最初として、コンテンツ閲覧用サーバ１０４の閲覧画面には「ＥＮＴＥＲ」の領域、「完全版はここから」の領域が設けられ、「ＥＮＴＥＲ」の領域は所望の着信メロディのコンテンツのお試し版を探索する入口であり、「完全版はここから」の領域は所望の着信メロディのコンテンツの完全版を直接に探索する入口である。
【００３３】
ユーザの携帯電話機１０１が、ブラウザ機能を用いて、メロディのコンテンツを配信するコンテンツ閲覧用サーバ１０４に接続すると、図２に示すように、「ＥＮＴＥＲ」の領域、「完全版はここから」の領域が携帯電話機１０１に表示され、「ＥＮＴＥＲ」の表示領域をクリックするとお試し版の探索に入ることができる。
図３はメロディのジャンル、性別を探索する画面表示例を示す図である。本図に示すように、お試し版に入ると、メロディのジャンルが携帯電話機１０１に表示される。この表示をクリックすることにより、ユーザが好むメロディのジャンルを探索することが可能になる。
【００３４】
図４はアーチスト名の頭文字から探索する画面表示例を示す図である。本図に示すように、好みのジャンルが探索されと、携帯電話機１０１にはひらがなの各行の頭文字が表示され、アーチスト名の頭文字が属するひらがなの行からアーチスト名の探索が可能になる。
図５はアーチスト名の頭文字の探索からアーチスト名を順番に並べた画面表示例を示す図である。本図に示すように、アーチスト名の探索の結果、携帯電話機１０１にアーチスト名の頭文字が各行に属するひらがなの順番になるようにアーチスト名が並べられる。
【００３５】
図６はお試し版の着信メロディのメール配信を可能にするため携帯電話機１０１からコンテンツ探索条件設定／完全版提供用サイト１０５にメールを送信することを要求する画面表示例を示す図である。
本図に示すように、アーチスト名が探索されると、図３に示すジャンル探索のトップ画面に戻り、コンテンツ配信先アドレスをコンテンツ探索条件設定／完全版提供用サイト１０５に伝えるために、携帯電話機１０１に探索を終了しコンテンツ探索条件設定／完全版提供用サイト１０５にメールを送信する画面を表示する。ここでは、コンテンツ探索条件設定／完全版提供用サイト１０５では、携帯電話機１０１の配信先アドレスがわかればよいため、メールの題名、本文については割愛することが可能である。
【００３６】
携帯電話機１０１からメールの送信があると、コンテンツ探索条件設定／完全版提供用サイト１０５には携帯電話機１０１の配信先アドレスとともに、ユーザが所望するコンテンツの探索条件が設定される。すなわち、ユーザのコンテンツの趣向がコンテンツ提供用サイト１０５に登録される。
コンテンツ運営／お試し版提供用サーバ２００では、本手順に基づく配信先のアドレスと配信するコンテンツの条件をコンテンツ探索条件設定／完全版提供用サイト１０５から得ることができるため、これ以降に入手する新規の着信メロディのコンテンツについて、新規に登録された着信メロディのコンテンツと探索条件が一致する着信メロディのコンテンツがある場合には、新規に登録された着信メロディのコンテンツをお試し版としてメールに添付してユーザに送信するプッシュ配信が可能になる。
【００３７】
図７は配信されたメロディのコンテンツ付きメールの画面表示例を示す図である。本図に示すように、携帯電話機１０１にはコンテンツ運営／お試し版提供用サーバ２００から送信されたメールが表示され、画面上段には探索条件を、画面下段にお試し版の着信メロディのコンテンツを、中段に完全版を含む新着情報を格納しているコンテンツ探索条件設定／完全版提供用サイト１０５のＵＲＬ（Ｕｎｉｆｏｒｍ  Ｒｅｓｏｕｒｃｅ  Ｌｏｃａｔｏｒ）が表示される。
【００３８】
ユーザは配信された着信メロディのコンテンツ付きメールを再生することで、お試し版を試聴し、その着信メロディのイメージをつかむことが可能になる。
すなわち、新着情報とともに、メロディのコンテンツの一部であるサビ部分をお試し版として配信することで、ユーザは完全版のダウンロードの行為なしに、メロディのコンテンツのイメージを確認できる。
【００３９】
お試し版を試聴し、メールにて配信された着信メロディのコンテンツが期待通りの音色であれば、同メール中段のＵＲＬよりコンテンツ探索条件設定／完全版提供用サイト１０５に接続し、必要と思う着信メロディのコンテンツのみを完全版としてダウンロードし得ることが可能になる。この完全版が課金対象となる。
この場合、コンテンツ運営／お試し版提供用サーバ２００ではダウンロード実績でユーザが所望する着信メロディのコンテンツの条件が種々設定されるので、ユーザの複雑な趣向に対して新着情報を提供することが可能になる。
【００４０】
お試し版を試聴し、期待にそぐわない着信メロディのコンテンツと判断した場合は、完全版の着信メロディのコンテンツに関するダウンロードを行う必要が無くなる。
従来のように、一旦ダウンロードした完全版を破棄することがなくなり、所望の着信メロディのコンテンツを得ることができるため、利便性を高めることが可能になる。この場合、お試し版の破棄を行うことになるが、お試し版は課金対象ではないので、費用を節約することが可能になる。
【実施例１】
【００４１】
以上の説明では、説明を簡単にするために着信メロディのコンテンツの探索条件である所望の着信メロディの探索について、図５において一人のアーチストとして説明を行ったが、これに限定されず、さらなる利便性を求め、図３、図４、図５にて複数のジャンル、複数のアーチストを探索するようにしてもよい。
【実施例２】
【００４２】
さらに、コンテンツ運営／お試し版提供用サーバ２００では、着信メロディのコンテンツのダウンロード実績から同様の趣向を持ったユーザの着信メロディのコンテンツの傾向を分析し、分析結果に基づきコンテンツ運営／お試し版提供用サーバ２００からお試し版の推薦を配信するサービスを行うようにしてもよい。さらに利便性を図ることが可能になる。
【実施例３】
【００４３】
以上の説明では、コンテンツ運営／お試し版提供用サーバ２００をオペレータサーバ群１０２の外に設けたが、オペレータサーバ群１０２内に設けてもよい。これにより、本発明の汎用性が増し、さらに利便性を図ることが可能になる。
【実施例４】
【００４４】
以上の説明では、配信するコンテンツを着信のメロディとしているが、以下のように、画像のコンテンツについても同様に考えることが可能である。
以下、本発明の実施の形態について図面を参照して説明する。
図８は画像ジャンルの探索画面表示例を示す図であり、図９は配信された画像のコンテンツ付きメールの画面表示例を示す図である。
【００４５】
本図８に示すように、携帯電話機１０１に画像ジャンルが表示される。
本図９に示すように、画面上段には配信条件を、下段にはお試し版の画像のコンテンツを、中段には完全版を格納しているコンテンツ探索条件設定／完全版提供用サイト１０５のＵＲＬを表示している。お試し版の画像のコンテンツはファイルサイズを抑えるために、完全版と比較して、表示面積を落とし、画質を落とすことで形成される。
【００４６】
このようにして、所望とする画像のコンテンツのイメージを得ることができるため、利便性を高めることが可能になる。
【実施例５】
【００４７】
以上の説明では、配信するコンテンツを着信のメロディとしてが、以下のように、動画、ゲームのコンテンツについても同様に考えることが可能である。
以下、本発明の実施の形態について図面を参照して説明する。
図１０は動画ジャンルの探索画面表示例を示す図であり、図１１は配信された動画のコンテンツ付きメールの画面表示例を示す図である。
【００４８】
本図１０に示すように、携帯電話機１０１に動画ジャンルが表示される。
本図１１に示すように、画面上段には配信条件を、下段にはお試し版の動画のコンテンツを、中段には完全版を格納しているコンテンツ探索条件設定／完全版提供用サイト１０５のＵＲＬを表示している。
邦画、洋画等の映画のお試し版は劇場映画のコマーシャル版を用いて、ゲームのお試し版は体験版を用いて、ファイルサイズを押さえる。
【００４９】
なお、携帯電話機１０１には着信メロディのコンテンツの再生機能のように、映画を再生するＤＶ（ディジタルビデオ）再生ソフト、ゲームのエンジン部分が存在しない場合が多いので、動画、ゲームのコンテンツのお試し版の一部としてＤＶ再生ソフト、ゲームのエンジン部分をメールに添付する。
この場合、ダウンロードされたＤＶ再生ソフト、ゲームのエンジン部分は、他に利用されないように、メールに添付したお試し版のコンテンツにのみ使用可能とし、又は、期限付きとし一定期間経過後に使用できないようにしておく。
【００５０】
お試し版のコンテンツを添付したメールの受信後にダウンロードした完全版のコンテンツに対してお試し版のコンテンツのＤＶ再生ソフト、ゲームのエンジン部分を使用できるようにする。このＤＶ再生ソフト、ゲームのエンジン部分はお試し版、完全版のコンテンツにだけ使用可能にする。
このようにして、所望とする動画のコンテンツのイメージを得ることができるため、利便性を高めることが可能になる。
【実施例６】
【００５１】
また、ＪＡＶＡ（登録商標）アプリケーションのコンテンツについても、同様に配信を行うことが可能である。さらに、利便性を高めることが可能になる。
【実施例７】
【００５２】
以下、本発明の実施の形態について図面を参照して説明する。
図１２は図１の変形例であり、プッシュ型コンテンツ配信サービスシステムの概略構成を示すネットワーク図である。
本図に示すように、図１と比較して、インターネット３００にはノート型パーソナルコンピュータ、デスクトップ型パーソナルコンピュータ、携帯電話機１０１を含む端末１１１、メール配信用サーバ１０３が接続され、コンテンツ運営／お試し版提供用サーバ２００内にコンテンツ閲覧用サーバ１０４が設けられ、コンテンツ閲覧用サーバ１０４内にコンテンツ探索条件設定／完全版提供用サイト１０５が設けられる。
【００５３】
このようにして、端末１１１に対してプッシュ型コンテンツ配信といった用途に適用でき、さらに、利便性を高めることが可能になる。
【図面の簡単な説明】
【００５４】
【図１】本発明に係るプッシュ型コンテンツ配信サービスシステムの概略構成を示すネットワーク図である。
【図２】お試し版のコンテンツを配信する条件を設定するための入口の画面表示例を示す図である。
【図３】メロディのジャンル、性別を探索する画面表示例を示す図である。
【図４】アーチスト名の頭文字から探索する画面表示例を示す図である。
【図５】アーチスト名の頭文字の探索からアーチスト名を順番に並べた画面表示例を示す図である。
【図６】お試し版のメロディのメール配信を可能にするため携帯電話機１０１からコンテンツ探索条件設定／完全版提供用サイト１０５にメールを送信することを要求する画面表示例を示す図である。
【図７】配信されたメロディのコンテンツ付きメールの画面表示例を示す図である。
【図８】画像ジャンルの探索画面表示例を示す図である。
【図９】配信された画像のコンテンツ付きメールの画面表示例を示す図である。
【図１０】動画ジャンルの探索画面表示例を示す図である。
【図１１】配信された動画のコンテンツ付きメールの画面表示例を示す図である。
【図１２】図１の変形例であり、プッシュ型コンテンツ配信サービスシステムの概略構成を示すネットワーク図である。
【図１３】携帯電話機においてメロディのコンテンツを獲得する時の従来の操作手順を説明するフローチャートである。
【図１４】メロディのコンテンツ提供サイトからメロディのジャンル、アーチスト名からメロディの探索を行うための画面を示す図である。
【符号の説明】
【００５５】
１００…オペレータ無線網
１０１…携帯電話機
１０２…オペレータサーバ群
１０３…メール配信用サーバ
１０４…コンテンツ閲覧用サーバ
１０５…コンテンツ探索条件設定／完全版提供用サイト
１１１…端末
２００…コンテンツ運営／お試し版提供用サーバ
３００…インターネット
【図１】
2005242399.tif 000003
【図２】
2005242399.tif 000004
【図３】
2005242399.tif 000005
【図４】
2005242399.tif 000006
【図５】
2005242399.tif 000007
【図６】
2005242399.tif 000008
【図７】
2005242399.tif 000009
【図８】
2005242399.tif 000010
【図９】
2005242399.tif 000011
【図１０】
2005242399.tif 000012
【図１１】
2005242399.tif 000013
【図１２】
2005242399.tif 000014
【図１３】
2005242399.tif 000015
【図１４】
2005242399.tif 000016